(57)【特許請求の範囲】
【請求項１】
横方向に間隔をあけて立設された支柱の上端部に接続して前後方向に延設された梁と、前記梁に支持させて横方向に架設された複数の母屋と、前記母屋に支持させて前後方向に架設された複数の垂木とを備えた屋根部の構造であって、
前記屋根部の一部に切り欠き部が設けられており、
前記切り欠き部が、該切り欠き部の一辺を前記垂木で形成し、前記垂木の前記切り欠き部の一辺を形成する部分に外装材を取り付けて構成されており、
前記垂木は、
前記母屋に支持させて架設される垂木本体と、
前記垂木本体に重なるように該垂木本体の上部に取り付けられる垂木カバーと、を備え、
前記外装材は、
前記垂木の側面に沿って配設される外装材本体と、
前記外装材本体から横方向に突設され、前記垂木本体と前記垂木カバーとの間で挟持させる支持部と、
前記支持部の先端に繋がり上下方向に延設された壁板部と、を備え、
前記垂木に取り付ける前記外装材には、前記壁板部に繋がって横方向に延設され、前記垂木本体の内面に隣接するように配設される垂木側固定部が形成され、
前記母屋に取り付ける前記外装材には、該母屋に固定される母屋側固定部が形成されていることを特徴とする屋根部構造。
【請求項２】
請求項１記載の屋根部構造において、
前記切り欠き部の他辺を前記母屋で形成し、前記母屋の前記切り欠き部の他辺を形成する部分に外装材を取り付けて構成されている屋根部構造。
【発明の詳細な説明】
【技術分野】
【０００１】
本発明は、カーポートなどの建物外部構築物の屋根部の構造に関する。
【背景技術】
【０００２】
住宅や店舗などに、カーポート、自転車置き場等の建物外部構築物を設置、増築するケースが増えている。
【０００３】
そして、この種の建物外部構築物は、横方向Ｔ１に間隔をあけて立設された複数の支柱１と、各支柱１の上端部にそれぞれ後端を接続して前後方向Ｔ２に片持ち状態で延設された複数の梁２と、複数の梁２に支持させて横方向Ｔ１に架設し、前後方向Ｔ２に間隔をあけて配設された複数の母屋３と、複数の母屋３で支持して前後方向Ｔ２に架設し、横方向Ｔ１に間隔をあけて配設された複数の垂木４と、垂木４に支持させて設けられ、屋根面を形成する屋根パネル５とを備えて構成されている（図１参照）。
【０００４】
また、屋根部６の後端部側（軒尻を形成する母屋）に、意匠性を確保したり、横樋などとして機能する後枠７を取り付け、屋根部６の先端部（軒先を形成する母屋）や屋根部６の両側部側（妻垂木）に、意匠性を確保するための前枠８、側枠９を取り付けて構成されている。
【０００５】
一方、図６（図１）に示すように、屋根部６を平面視方形状ではなく一部に切り欠き部１０を設けて異形状に形成する場合もある。このような異形状の屋根部６を形成する際には、例えば切り欠き部１０に配される部分の垂木４を切断し、金具１３などを用いて側枠９などを取り付けて切り欠き部１０を形成するようにしている。
【０００６】
また、このとき、隣り合う側枠９の端部をそれぞれ４５°の角度に加工し、いわゆる「留」継ぎＳ１、Ｓ２によって隣り合う側枠９の端部同士を接合する。そして、水漏れなどの発生を防止するため、切り欠き部１０の各接合部等にはシーリング処理を施すようにしている。
【先行技術文献】
【特許文献】
【０００７】
【特許文献１】特開平０８−１４４５５４号公報
【発明の概要】
【発明が解決しようとする課題】
【０００８】
しかしながら、上記従来のように垂木４を切断して屋根部６に切り欠き部１０を形成する場合においては、垂木４に金具１３で側枠９等を接続し、切り欠き部１０の一辺を形成することになる。このため、垂木４と側枠９の接続部分（Ｓ２）の止水性を確保することが難しく、この部分で水漏れが発生しやすくなる。
【０００９】
また、切り欠き部１０の側枠９の端部同士を留継ぎＳ１、Ｓ２で接合することで、これらの留継ぎＳ１、Ｓ２の接合部のシーリング処理がやりづらく、またシーリングが切れやすく、施工に多大な手間と労力を要することになり、且つこの部分においても水漏れが発生しやすくなってしまう。
【００１０】
本発明は、上記事情に鑑み、施工性の向上を図り、且つ止水性を確保して切り欠き部を形成することを可能にする屋根部構造を提供することを目的とする。
【課題を解決するための手段】
【００１１】
上記の目的を達するために、この発明は以下の手段を提供している。
【００１２】
本発明の屋根部構造は、横方向に間隔をあけて立設された支柱の上端部に接続して前後方向に延設された梁と、前記梁に支持させて横方向に架設された複数の母屋と、前記母屋に支持させて前後方向に架設された複数の垂木とを備えた屋根部の構造であって、前記屋根部の一部に切り欠き部が設けられており、前記切り欠き部が、該切り欠き部の一辺を前記垂木で形成し、前記垂木の前記切り欠き部の一辺を形成する部分に外装材を取り付けて構成されており、前記垂木は、前記母屋に支持させて架設される垂木本体と、前記垂木本体に重なるように該垂木本体の上部に取り付けられる垂木カバーと、を備え、前記外装材は、前記垂木の側面に沿って配設される外装材本体と、前記外装材本体から横方向に突設され、前記垂木本体と前記垂木カバーとの間で挟持させる支持部と、前記支持部の先端に繋がり上下方向に延設された壁板部と、を備え、前記垂木に取り付ける前記外装材には、前記壁板部に繋がって横方向に延設され、前記垂木本体の内面に隣接するように配設される垂木側固定部が形成され、前記母屋に取り付ける前記外装材には、該母屋に固定される母屋側固定部が形成されていることを特徴とする。
【００１３】
また、本発明の屋根部構造においては、前記切り欠き部の他辺を前記母屋で形成し、前記母屋の前記切り欠き部の他辺を形成する部分に外装材を取り付けて構成されていることが望ましい。
【発明の効果】
【００１４】
本発明の屋根部構造においては、垂木を切断せずに、切り欠き部の一辺や他辺を垂木や母屋で形成し、この部分の垂木、母屋に外装材（側枠、前枠）を取り付けるようにしたことで、従来と比較し、容易に切り欠き部を形成することが可能になる。
【００１５】
また、垂木、母屋に外装材を取り付けるようにしたことで、従来のように側枠の端部同士を留継ぎで接合する必要がない。また金具を不要にできる。このため、芋継ぎで外装材の端部同士を接続し、端部キャップを取り付けるなどして容易に意匠性を確保することが可能になる。
【００１６】
また、このように垂木、母屋に外装材を取り付けるようにし、且つ外装材の端部同士を芋継ぎで接続できることにより、シーリング処理を容易に行うことが可能になり、信頼性の高い優れた止水性能を付与することができる。
【００１７】
よって、本発明の屋根部構造においては、切り欠き部を備えた屋根部を構築する場合であっても、意匠性、止水性を確保しつつ施工性を大幅に向上させることが可能になる。
【図面の簡単な説明】
【００１８】
【図１】本発明の一実施形態に係る建物外部構築物、屋根部（屋根部構造）を示す斜視図である。
【図２】本発明の一実施形態に係る屋根部（屋根部構造）の切り欠き部を示す平面図である。
【図３】本発明の一実施形態に係る屋根部（屋根部構造）の切り欠き部を示す斜視図である。
【図４】図３のＸ１−Ｘ１線に沿う断面図である。
【図５】図３のＸ２−Ｘ２線に沿う断面図である。
【図６】従来の屋根部（屋根部構造）の切り欠き部を示す斜視図である。
【発明を実施するための形態】
【００１９】
以下、図１から図５を参照し、本発明の一実施形態に係る屋根部構造について説明する。
【００２０】
本実施形態の屋根部（屋根部構造）６は、例えばカーポートなどの建物外部構築物Ａの屋根部であり、図１に示すように、一部に切り欠き部１０を備えて形成されている。
【００２１】
具体的に、本実施形態の建物外部構築物Ａは、図１に示すように、横方向Ｔ１に所定の間隔をあけて立設された複数の支柱１と、各支柱１の上端部にそれぞれ後端を接続して前後方向Ｔ２に片持ち状態で延設された複数の梁２と、複数の梁２に支持させて横方向Ｔ１に架設し、前後方向Ｔ２に間隔をあけて配設された複数の母屋３と、複数の母屋３に支持させて前後方向Ｔ２に架設し、横方向Ｔ１に間隔をあけて配設された複数の垂木４と、垂木４に支持させて設けられ、屋根面を形成する屋根パネル５とを備えて構成されている。
【００２２】
また、屋根部６の後端部側（軒尻を形成する母屋）に、意匠性を確保したり、横樋などとして機能する後枠７を取り付け、屋根部６の先端部（軒先を形成する母屋）や屋根部６の両側部側（妻垂木）に、意匠性を確保するための前枠８、側枠９を取り付けて構成されている。
なお、支柱１や梁２、母屋３、垂木４などは例えばアルミ型材を用いて形成されている。
【００２３】
また、本実施形態の垂木４は、複数の母屋３に支持させて架設される垂木本体４ａと、垂木本体４ａに重なるように垂木本体４ａの上部に取付けられる垂木カバー４ｂとを備えて形成されている（図４参照）。そして、これら垂木本体４ａと垂木カバー４ｂの間に屋根パネル５を挟み込むように、複数の母屋３に架設した垂木本体４ａに垂木カバー４ｂを取り付けることで、屋根面を形成した状態で屋根パネル５を保持するように構成されている。
【００２４】
一方、本実施形態の屋根部６においては、図２に示すように、屋根部６の一部に設けられた切り欠き部１０が、従来のように垂木４を切断して形成されているのではなく、切り欠き部１０の一辺を垂木４で形成し、垂木４の切り欠き部１０の一辺を形成する部分に外装材（側枠）１１を取り付けて構成されている。さらに、切り欠き部１０の他辺を母屋３で形成し、母屋３の切り欠き部１０の他辺を形成する部分に外装材（前枠）１１を取り付けて構成されている。
【００２５】
また、このとき、図４、図５に示すように、屋根パネル５を取り付けるときと同様、垂木本体４ａに垂木カバー４ｂ（母屋に前枠）を取り付けるとともに外装材１１の一部を挟み込むなどして保持することで、切り欠き部１０の一辺及び他辺部分に外装材１１を配置し、意匠性を確保できるように構成されている。
【００２６】
さらに、本実施形態の屋根部６の切り欠き部１０は、上記のように垂木４や母屋３を切断せずに形成するため、外装材（側枠、前枠）１１の端部同士を従来の「留」継ぎでなく、「芋」継ぎで接合する。そして、図３に示すように、切り欠き部１０に露出した外装材１１の端部に端部キャップ１２を取り付けることで、この部分の意匠性を確保するようにしている。
【００２７】
ここで、図４に示すように、本実施形態では、屋根部６に切り欠き部１０を設けるために外装材１１を中間垂木４に取り付けることになる。本来、この中間垂木４を端部垂木（妻垂木）に差し替えて外装材１１を取り付けることも考えられるが、本実施形態のように前枠８側から後枠７側まで全面でなく一区間のみ切り欠いて切り欠き部１０を形成する場合には簡単に一部の中間垂木４を端部垂木４に差し替えることはできない。
【００２８】
なお、仮に、後枠７側から途中までが中間垂木４、切り欠き部１０が始まる箇所から端部垂木４となるように、一部の中間垂木４を分断し端部垂木４に差し替えた場合には、途中から設置した端部垂木４と中間垂木４の連続性がうまく得られなくなる。また、パネル押え部の止水性を確保することも好適に処理できないおそれがある。
【００２９】
一方、図５に示すように、屋根部６に切り欠き部１０を設けるために外装材１１を中間母屋３に取り付けることになる。この部分は、切り詰めた後に前先端となるため、前枠機能が必要であり、切り詰めない部分は、当然元の母屋機能でなければならない。このため、この部分の中間母屋３を端部母屋に差し替えて外装材１１を取り付けることも考えられるが、上記同様、途中までは母屋３、途中からは前枠機能に円滑に切り替える必要が生じる。そして、単純に母屋３を分断し、前枠８を連結したのでは連続性が確保できず、また、また形状違いの合わせ目の止水性が確保できない。
【００３０】
このため、本実施形態では、切り欠き部１０を形成する部分の中間垂木４を簡易的な端部垂木として扱えるように、また、切り欠き部１０を形成する部分の中間母屋３を簡易的な端部母屋３として扱えるように、切り欠き部１０を形成する部分の中間垂木４や中間母屋３に外装材１１を合体させることができるようにした。
【００３１】
具体的に、本実施形態では、切り欠き部１０を形成する部分の中間垂木４に取り付ける外装材１１を、図４に示すように、外装材本体１１ａと、外装材本体１１ａから横方向に突設され、垂木本体４ａ、垂木カバー４ｂの間で挟持させる支持部（ダミーパネル部）１１ｂと、支持部１１ｂの先端に繋がり上下方向に延設された壁板部１１ｃと、壁板部１１ｃの下端に繋がって横方向に延設され、垂木本体４ａの底面／内面に隣接（当接）するように配設される固定部１１ｄとを備えて形成されている。
【００３２】
この外装材１１においては、支持部１１ｂを垂木本体４ａと垂木カバー４ｂの間で挟み込んで取り付けると、中間垂木４の側面に沿って外装材本体１１ａが配設され、意匠性を確保することができる。また、壁板部１１ｃによって外装材本体１１ａ側の外側から内部への雨水の浸入を阻止することができ、好適に止水性を確保できる。
【００３３】
一方、切り欠き部１０を形成する部分の母屋３に取り付ける外装材１１を、図５に示すように、母屋３に固定される固定部１１ｅと、固定部１１ｅに繋がり、意匠性を確保するとともに屋根パネル５の端部側を固定部１１ｅとともに挟み込んで保持する外装材本体１１ｆとを備えて形成されている。
【００３４】
さらに、図４及び図５に示すように、垂木４に取り付けられる外装材１１の外装材本体１１ａ、母屋３に取り付けられる外装材１１の外装材本体１１ｆ、母屋３にはそれぞれ、ビス止め位置の強度を確保するための肉厚部１４が設けられている。
【００３５】
そして、図２（図４、図５）に示すように、母屋３に取り付けられた外装材１１と、垂木４に取り付けられた外装材１１端部同士（切り欠き部１０の入隅を形成する端部同士など）が、平板状の金具１３を肉厚部１４（１４ａと１４ｂ）にビス止めし、この金具１３を介して接続されている。
【００３６】
また、垂木本体４ａの端部側と母屋３を接続する際には、垂木４に取り付けられる外装材１１の固定部１１ｄと、垂木本体４ａ、母屋３に取り付ける外装材１１の固定部１１ｅを共締めするように、肉厚部１４（１４ｃ）にビス止めする。
【００３７】
これにより、切り欠き部１０を形成する部分の中間垂木４を端部垂木のように、中間母屋３を端部母屋のように円滑に切り替えることができる。
【００３８】
なお、図３及び図５に示すように、母屋３には梁２にビス止めして固定するための固定片３ａが下端側に、前後方向に突出しつつ長手方向に延設されている。そして、前枠８を取り付ける前端部の母屋３を除いた他の母屋は、固定片３ａを前方側に向けて配設されている。すなわち、前枠８を取り付ける前端部の母屋３は固定片３ａを後方側に向けて設置されることで、意匠性の向上を図っている。
【００３９】
したがって、本実施形態の屋根部構造６においては、垂木４を切断せずに、切り欠き部１０の一辺や他辺を垂木４や母屋３で形成し、この部分の垂木４、母屋３に外装材（側枠、前枠）１１を取り付けるようにしたことで、従来と比較し、容易に切り欠き部１０を形成することが可能になる。
【００４０】
また、垂木４、母屋３に外装材（側枠、前枠）１１を取り付けるようにしたことで、従来のように側枠の端部同士を留継ぎで接合する必要がなく、また金具１３を不要にできる。このため、芋継ぎで外装材１１の端部同士を接続し、端部キャップ１２を取り付けるなどして容易に意匠性を確保することが可能になる。
【００４１】
また、このように垂木４、母屋３に外装材（側枠、前枠）１１を取り付けるようにし、且つ外装材１１の端部同士を芋継ぎで接続できることにより、シーリング処理を容易に行うことが可能になり、信頼性の高い優れた止水性能を付与することができる。
【００４２】
よって、本実施形態の屋根部構造６においては、切り欠き部１０を備えた屋根部６を構築する場合であっても、意匠性、止水性を確保しつつ施工性を大幅に向上させることが可能になる。
【００４３】
以上、本発明に係る屋根部構造の一実施形態について説明したが、本発明は上記の一実施形態に限定されるものではなく、その趣旨を逸脱しない範囲で適宜変更可能である。
【００４４】
また、本実施形態では、本発明に係る屋根部構造が支柱に梁を片持ち状態で接続した建物外部構築物の屋根部構造であるものとして説明を行った。これに対し、例えば、２台用（複数台用）のカーポートなど、屋根部の両側部にそれぞれ配置した一対の支柱に梁を架設する場合（梁の両端を支柱に固定支持する場合）に本発明に係る屋根部構造を適用しても勿論構わない。そして、この場合においても、本実施形態と同様の作用効果を得ることができる。
【符号の説明】
【００４５】
１      支柱
２      梁
３      母屋
４      垂木
４ａ    垂木本体
４ｂ    垂木カバー
５      屋根パネル
６      屋根部（屋根部構造）
７      後枠
８      前枠
９      側枠
１０    切り欠き部
１１    外装材（側枠、前枠）
１１ａ  外装材本体
１１ｂ  支持部（ダミーパネル部）
１１ｃ  壁板部
１１ｄ  固定部（垂木側固定部）
１１ｅ  固定部（母屋側固定部）
１１ｆ  外装材本体
１２    端部キャップ
１３    金具
１４    肉厚部
Ａ      建物外部構築物
Ｔ１    横方向
Ｔ２    前後方向
【図１】
0006450122.tif 000002
【図２】
0006450122.tif 000003
【図３】
0006450122.tif 000004
【図４】
0006450122.tif 000005
【図５】
0006450122.tif 000006
【図６】
0006450122.tif 000007